(57)【要約】      （修正有）【課題】マンモグラフィ検査時の検診衣の首元のもたつき及び撮像領域への映り込みを防止し、かつ、他の一般検診にも適用可能な検診衣を提供する。【解決手段】右前身頃１１及び左前身頃１２からなる前身頃１０と、前身頃の上端と接続する後身頃３０と、前身頃の上部と後身頃の上部により形成された袖部４０と、右前身頃と左前身頃とを開閉可能に係止する係止部１３、１４とを有する検診衣１であって、前身頃と後身頃との間に設けられた内布２０と、後身頃の上端中央部と内布の上端中央部に形成された衿ぐり部５０とを更に有し、内布は、前身頃と後身頃とが接続する接続部６０の一部において前身頃及び後身頃に接続し、接続部を中心に回動可能であり、回動された内布は、後身頃の外側に保持されることを特徴とする。【選択図】図５Ｃ
2018104827.tif 000002
【特許請求の範囲】
【請求項１】
右前身頃及び左前身頃からなる前身頃と、前記前身頃の上端と接続する後身頃と、前記前身頃の上部と前記後身頃の上部により形成された袖部と、前記右前身頃と前記左前身頃とを開閉可能に係止する係止部とを有する検診衣であって、
前記前身頃と前記後身頃との間に設けられた内布と、
前記後身頃の上端中央部と前記内布の上端中央部に形成された衿ぐり部とを更に有し、
前記内布は、
前記前身頃と前記後身頃とが接続する接続部の一部において前記前身頃及び前記後身頃に接続し、
前記接続部を中心に回動可能であり、
回動された前記内布は、前記後身頃の外側に保持される、
ことを特徴とする、前記検診衣。
【請求項２】
前記内布は、着用者の両方の腕が前記袖部に通っている状態において、前記接続部を中心に回動する際に、前記内布の上端中央部に形成された前記衿ぐり部が着用者の頭部を跨ぎ、前記内布の全体が前記後身頃の外側に移動可能であることを特徴とする、請求項１に記載の検診衣。
【請求項３】
前記内布は、着用者の両方の腕が前記袖部に通っている状態において、前記接続部を中心に回動する際に、前記着用者の頭部の横を通って、前記後身頃の外側に移動可能であることを特徴とする、請求項１に記載の検診衣。
【請求項４】
前記内布は、着用者の一方の腕が前記袖部から抜かれた状態において、前記接続部を中心に回動する際に、前記着用者の頭部の横を通って、前記後身頃の外側に移動可能であることを特徴とする、請求項１に記載の検診衣。
【請求項５】
前記内布は、前記接続部のみにおいて、前記前身頃及び前記後身頃と接続していることを特徴とする、請求項１〜４のいずれか一項に記載の検診衣。
【請求項６】
前記内布は、前記接続部において前記前身頃及び前記後身頃と接続し、かつ、前記衿ぐり部の一部に沿って、前記前身頃と接続していることを特徴とする、請求項１〜４のいずれか一項に記載の検診衣。
【請求項７】
前記内布の縦方向の長さは、前記前身頃の縦方向の長さの７０％から１１０％の範囲であることを特徴とする、請求項１〜６のいずれか一項に記載の検診衣。
【請求項８】
前記係止部は、前記右前身頃及び前記左前身頃にそれぞれ取り付けられた少なくとも一組の紐からなることを特徴とする、請求項１〜７のいずれか一項に記載の検診衣。
【発明の詳細な説明】
【技術分野】
【０００１】
本発明は、検診衣に関し、特に、マンモグラフィ検査を含む検診に好適な検診衣に関するものである。
【背景技術】
【０００２】
近年、乳がん検診による乳がんの早期発見の重要性が認識され、乳がん検診の受診率を上げるための整備が進められている。一方、胸部の露出や胸部への接触を伴う検査内容に対する心理的な抵抗感から、受診を検討する対象者が、受診をためらう場合も少なくない。そのため、受診者の心理的負担を軽減し、ひいては乳がん検診の受診率の向上に貢献するため、マンモグラフィ検査を含む検診に適した検診衣が求められている。
【０００３】
従来のマンモグラフィ検査を含む乳がん検診では、乳がん以外の一般的な健康診断に使用されている検診衣を代用するか、従来の検診衣が適さない場合等には、検診衣を着用せず、着衣のない状態で検診が行われていた。
【０００４】
しかしながら、従来の一般的な健康診断に使用される検診衣では、マンモグラフィ等の特殊な機材を用いた検査内容に対して、十分に対応した構造とはなっておらず、受診者や検査を行う医師や臨床放射線技師にとって扱いづらいものとなっていた。また、着衣のない状態での検診は、受診者あるいは受診を検討する対象者にとって、心理的な抵抗感を生じる一因となっていた。
【０００５】
このような課題を解決するため、特許文献１では、一般的な健康診断に使用されている従来の和服型の検診衣を乳がん検診にも対応可能なものに改良した検診上衣を開示している。特許文献１では、上半身前部の不用意な露出を避けつつ前身頃の開放又は閉鎖を容易にするため、右前身頃と左前身頃の一部を前後に重ね合わせた打ち合わせ部を有している。
【０００６】
しかしながら、特許文献１では、右前身頃又は左前身頃を持ち上げて肩に掛ける場合、打ち合わせ部の存在により、受診者の首元に溜まる布の幅が大きくなり、首元にもたつきが生じるため、受診者の首元へより圧迫感を与えるものとなっていた。一方、マンモグラフィ検査を行う臨床放射線技師にとっては、受診者の首元に溜まる布の幅が大きくなる分、受診者の首元に溜まる布がマンモグラフィの撮像領域に映り込まないように、より注意を払う必要があり、撮像の際の負担となっていた。検診衣の一部がマンモグラフィの撮像領域に映り込むと、病変や病巣の影と誤診される恐れがあり、映り込みを避けることは重要な課題である。
【０００７】
一方、特許文献２は、マンモグラフィ検査に特化したケープ状の検診衣を開示している。特許文献２では、ケーブ状の検診衣の前部を開閉するための複数の係止部を有し、複数の係止部のうち首周りの係止部のみを係止した状態で身頃を背中側に捲り上げることにより、首元に溜まる布によるもたつきを解消している。
【０００８】
しかしながら、ケープ状の検診衣では、他の一般的な健康診断の検査項目に対しては、適用することができず、マンモグラフィ検査等の乳がん検診にして適用できないという問題があった。乳がん検診は、専門の検診機関以外では、他の一般的な健康診断の検査項目とともに検査されることも多く、検査項目に合わせて複数の検診衣を用意することは、検診機関にとってもコストや管理の面で望ましくない。また、受診者にとっても検査項目に合わせて検診衣を着替え直すことは負担となる。
【先行技術文献】
【特許文献】
【０００９】
【特許文献１】特開２００８−０２５０３８号公報
【特許文献２】特開２０１０−１８９３０号公報
【発明の概要】
【発明が解決しようとする課題】
【００１０】
そこで、本発明は、上記課題を解決し、マンモグラフィ検査と、バリウム検査や胸部レントゲン検査等のその他の一般的な健康診断の検査項目との双方に適しており、かつ、マンモグラフィ検査特有の課題である、検診衣の首元のもたつき及び撮像領域への映り込みの防止を可能とする検診衣を提供するものである。
【課題を解決するための手段】
【００１１】
上記課題を解決するため、本発明では、右前身頃及び左前身頃からなる前身頃と、前身頃の上端と接続する後身頃とを有し、前身頃の上部と後身頃の上部により形成された袖部と、右前身頃と左前身頃とを開閉可能に係止する係止部とを有する検診衣において、前身頃と後身頃との間に更に内布を設け、前身頃と後身頃とが接続する部分を中心に、内布が回動可能であり、マンモグラフィの検査時等には、前身頃を開き、内布を回動することにより、内布を後身頃の外側へ移動可能な検診衣を提供する。
【００１２】
これにより、受診者は、バリウム検査や胸部レントゲン検査等、その他の一般的な健康診断の検査項目を受診する際には、内布を回動する前の状態で検査を受け、マンモグラフィ検査等の乳がん検診を受診する際には、内布を回動することにより、マンモグラフィ検査等の乳がん検診に適した形状に変形させた状態で検査を受けることができる。
【００１３】
ここで、本発明による検診衣において、前身頃とは、着用時に着用者の人体の前面側になる部分であり、右前身頃と左前身頃からなる。右前身頃は、着用時に着用者の右半身の前面側になる部分であり、左前身頃は、着用時に着用者の左半身の前面側になる部分である。また、後身頃とは、着用時に着用者の人体の背面側になる部分である。また、内布とは、変形前の通常の着用時においては、前身頃と後身頃とに挟まれた内側部分に位置し、一部で前身頃及び後身頃と接続するが、前身頃及び後身頃とは独立した布である。通常の着用時とは、前身頃を閉じ、内布を回動させていない状態をいう。
【００１４】
本発明の検診衣には、バリウム検査や胸部レントゲン検査等の一般的な健康診断の検査項目を受診する際の形態と、マンモグラフィ検査等の乳がん検診を受診する際の形態とがある。バリウム検査や胸部レントゲン検査等、その他の一般的な健康診断の検査項目を受診する際の形態は、前身頃を閉じ、内布は回動させていない通常の着用時の形態である。また、本発明の検診衣は、マンモグラフィ検査等の乳がん検診を受診する際の形態として、更に次の３つの形態に変形することが可能である。
【００１５】
マンモグラフィ検査等の乳がん検診を受診する際の第１の形態は、着用者の両腕が袖部に通っている状態において、前身頃を開き、内布を着用者の頭部を跨いで回動させ、後身頃の外側へ移動させるように変形された形態である。
【００１６】
マンモグラフィ検査等の乳がん検診を受診する際の第２の形態は、着用者の両腕が袖部に通っている状態において、前身頃を開き、内布を着用者の頭部の横から肩を跨いで回動させ、後身頃の外側へ移動させるように変形された形態である。
【００１７】
マンモグラフィ検査等の乳がん検診を受診する際の第３の形態は、着用者の一方の腕が袖部から抜かれた状態において、前身頃を開き、内布を着用者の頭部の横から、袖部から抜いた腕の側の肩を跨いで回動させ、後身頃の外側へ移動させる形態である。
【００１８】
本発明のある態様では、右前身頃及び左前身頃からなる前身頃と、前記前身頃の上端と接続する後身頃と、前記前身頃の上部と前記後身頃の上部により形成された袖部と、前記右前身頃と前記左前身頃とを開閉可能に係止する係止部とを有する検診衣であって、前記前身頃と前記後身頃との間に設けられた内布と、前記後身頃の上端中央部と前記内布の上端中央部に形成された衿ぐり部とを更に有し、前記内布は、前記前身頃と前記後身頃とが接続する接続部の一部において前記前身頃及び前記後身頃に接続し、前記接続部を中心に回動可能であり、回動された前記内布は、前記後身頃の外側に保持されることを特徴とする検診衣を提供する。
【００１９】
また、本発明のある態様における検診衣において、前記内布は、着用者の両方の腕が前記袖部に通っている状態において、前記接続部を中心に回動する際に、前記内布の上端中央部に形成された前記衿ぐり部が着用者の頭部を跨ぎ、前記内布の全体が前記後身頃の外側に移動可能であることを特徴とする。
【００２０】
本発明のある態様における検診衣において、前記内布は、着用者の両方の腕が前記袖部に通っている状態において、前記接続部を中心に回動する際に、前記着用者の頭部の横を通って、前記後身頃の外側に移動可能であることを特徴とする。
【００２１】
本発明のある態様における検診衣において、前記内布は、着用者の一方の腕が前記袖部から抜かれた状態において、前記接続部を中心に回動する際に、前記着用者の頭部の横を通って、前記後身頃の外側に移動可能であることを特徴とする。
【００２２】
本発明のある態様における検診衣において、前記内布は、前記接続部のみにおいて、前記前身頃及び前記後身頃と接続していることを特徴とする。本発明の他の態様における検診衣においては、前記内布は、前記接続部において前記前身頃及び前記後身頃と接続し、かつ、前記衿ぐり部の一部に沿って、前記前身頃と接続していることを特徴とする。
【００２３】
本発明のある態様における検診衣において、前記内布の縦方向の長さは、前記前身頃の縦方向の長さの７０％から１１０％の範囲であることを特徴とする。
【００２４】
本発明のある態様における検診衣において、前記内布は、着用者の胸部に接触する位置に、前当て部を有することを特徴とする。
【００２５】
本発明のある態様における検診衣において、前記係止部は、前記右前身頃及び前記左前身頃にそれぞれ取り付けられた少なくとも一組の紐からなることを特徴とする。
【発明の効果】
【００２６】
本発明によれば、検診衣を着用したままマンモグラフィ検査等の乳がん検診を受診でき、素肌の露出を必要最小限に留めることができるため、受診者の羞恥心や不安感を和らげ、安心感を与える効果が期待できる。
【００２７】
また、本発明による検診衣は、マンモグラフィ検査等の乳がん検診だけでなく、バリウム検査や胸部レントゲン検査等、その他の一般的な健康診断の検査項目を受診する際にも使用することができるため、受診者にとっては、検査項目に合わせて着替え直す必要がなく、着替えの負担が軽減される。また、検診機関にとっては、検査項目に合わせた複数種類の検診衣を用意する必要がないため、コスト面や管理面での負担が軽減される。
【００２８】
また、本発明による検診衣は、内布を回動して後身頃の外側へ移動させた際に、受診者の首元に布のもたつきが生じにくく、首元へ圧迫感を軽減できる。一方、マンモグラフィ検査を行う臨床放射線技師にとっては、受診者の首元に溜まる布がマンモグラフィの撮像領域に映り込む心配が少なく、撮像の際の負担が軽減され、検診衣の一部がマンモグラフィの撮像領域に映り込むことにより、病変や病巣の影と誤診される恐れを回避することができる。
【００２９】
特に、内布を着用者の頭部を跨いで回動させ、後身頃の外側へ移動させる第１の形態においては、乳房を軽く隠せる程度の生地が左右に残るのみであるため、受診者の首元には布が残らず、首元に布のもたつきが生じることはない。また、検診衣の一部がマンモグラフィの撮像領域に映り込む恐れは更に少なくなる。
本発明の他の目的、特徴及び利点は添付図面に関する以下の本発明の実施例の記載から明らかになるであろう。
【図面の簡単な説明】
【００３０】
【図１】図１は本発明による検診衣の前面を示す図である。
【図２】図２は本発明による検診衣の背面を示す図である。
【図３】図３は本発明による検診衣の各布を展開した図である。
【図４】図４は図３の各布が接続された状態を示した図である。
【図５Ａ】図５Ａは本発明による検診衣の第１の形態の変形過程を示す図である。
【図５Ｂ】図５Ｂは本発明による検診衣の第１の形態の変形過程を示す図である。
【図５Ｃ】図５Ｃは本発明による検診衣の第１の形態の変形過程を示す図である。
【図５Ｄ】図５Ｄは本発明による検診衣の第１の形態の変形過程を示す図である。
【図５Ｅ】図５Ｅは本発明による検診衣の第１の形態の変形過程を示す図である。
【図５Ｆ】図５Ｅは本発明による検診衣の第１の形態の変形過程を示す図である。
【図６Ａ】図６Ａは本発明による検診衣の第２の形態の変形過程を示す図である。
【図６Ｂ】図６Ｂは本発明による検診衣の第２の形態の変形過程を示す図である。
【図６Ｃ】図６Ｃは本発明による検診衣の第２の形態の変形過程を示す図である。
【図６Ｄ】図６Ｄは本発明による検診衣の第２の形態の変形過程を示す図である。
【図６Ｅ】図６Ｅは本発明による検診衣の第２の形態の変形過程を示す図である。
【図７Ａ】図７Ａは本発明による検診衣の第３の形態の変形過程を示す図である。
【図７Ｂ】図７Ｂは本発明による検診衣の第３の形態の変形過程を示す図である。
【図７Ｃ】図７Ｃは本発明による検診衣の第３の形態の変形過程を示す図である。
【図７Ｄ】図７Ｄは本発明による検診衣の第３の形態の変形過程を示す図である。
【図７Ｅ】図７Ｅは本発明による検診衣の第３の形態の変形過程を示す図である。
【図８】図８は本発明の変形例による検診衣の前面を示した図である。
【発明を実施するための形態】
【実施例１】
【００３１】
図１は、本発明による検診衣１の前面を示す図であり、図２は、本発明による検診衣１の背面を示す図である。
本発明による検診衣１は、右前身頃１１及び左前身頃１２からなる前身頃１０と、前身頃１０の上端と接続する後身頃３０と、前身頃１０の上部と後身頃３０の上部により形成された袖部４０と、右前身頃１１と左前身頃１２とを開閉可能に係止する係止部１３、１４とを有する。また、前身頃１０と後身頃３０との間には内布２０が設けられる。後身頃３０の上端中央部と内布２０の上端中央部には衿ぐり部５０が形成される。内布２０は、前身頃１０と後身頃３０とが接続する接続部６０の一部において前身頃１０及び後身頃３０に接続し、接続部６０を中心に回動可能であり、回動された内布２０は、後身頃３０の外側に移動し、後身頃３０の外側に吊り下がった状態で保持される。
【００３２】
係止部１３、１４は、好ましくは、右前身頃１１及び左前身頃１２にそれぞれ取り付けられた少なくとも一組の紐からなる。係止部１３、１４は、例えば、ボタン等、紐以外の他の係止手段を用いてもよいが、マンモグラフィによる撮像に影響を与えない素材であることが望ましい。
【００３３】
図３は、本発明による検診衣の各布を展開した図である。
前身頃１０は、右前身頃１１と左前身頃１２の２つのパーツに分かれ、右前身頃１１と左前身頃１２のそれぞれが１枚の布から成る。後身頃３０は１枚の布から成り、接続部６０において、前身頃１０に接続される。接続部６０は、着用者が検診衣１を着用した際に肩部から腕部の上辺に相当する部分に設けられる。また、前身頃１０及び後身頃３０の上部、即ち、着用者が検診衣１を着用した際に肩部から腕部に相当する部分に、袖部４０が形成される。更に、後身頃３０の上端中央部、即ち、着用者が検診衣１を着用した際に首部に相当する部分に、後衿ぐり部５１が形成される。
【００３４】
内布２０は、好ましくは、図３に示されるような略台形又は略四辺形の形状であるが、これに限定されるものではない。内布２０の縦方向の長さは、好ましくは、前身頃１０の縦方向の長さの７０％から１１０％の範囲であり、より好ましくは、前身頃１０の縦方向の長さと実質的に等しい。内布２０の横方向の長さは、好ましくは、後身頃３０の下端の長さの７０％から１００％の範囲であり、より好ましくは、後身頃３０の下端の長さの９０％程度である。
【００３５】
また、内布２０は、接続部６０で、前身頃１０及び後身頃３０と接続する。内布２０は、接続部６０で前身頃１０と後身頃３０とが接続している部分のうちの一部で、前身頃１０及び後身頃３０に接続している。前身頃１０及び後身頃３０と、内布との接続部６０は、内布２０の上辺、即ち、着用者が検診衣１を着用した際に肩部に相当する部分に位置している。内布２０は、好ましくは接続部６０のみにおいて、前身頃１０及び後身頃３０と接続しており、内布２０の縁部のうち接続部６０以外の部分は、自由端であり、検診衣１の他の部分と接続していない。また、内布２０の上端中央部、即ち、着用者が検診衣１を着用した際に首部に相当する部分に、前衿ぐり部５２が形成される。ここで、本発明の変形例においては、図８に示されるように、内布２０の回動が妨げられない範囲において、接続部６０から衿ぐり部５０の一部に沿って、内布２０と前身頃１０とを縫製することで、内布２０が接続部６０において前身頃１０及び後身頃３０と接続し、かつ、衿ぐり部５０の一部に沿って、前身頃１０と接続するようにしてもよい。
【００３６】
内布２０には、前当て部２１を設けるようにしてもよい。前当て部２１は、好ましくは、内布２０のうち、着用者が検診衣１を着用した際に、胸部に接触する位置に設けられる。前当て部２１において、布を二重にすることにより、着用者の胸部が透けるのを防止することができる。また、肌触りを更に良くするために、内布２０の内側、即ち、着用者の肌に直接触れる側に、内布２０と異なる素材の布を使用するようにしてもよい。
【００３７】
図４は、図３の各布が接続された状態を示した図である。
図４に示される通り、前身頃１０と後身頃３０とが接続部６０で接続され、内布２０は、前身頃１０と後身頃３０の間に挟まれる形で、接続部６０で、前身頃１０及び後身頃３０と接続される。図４のように、内布２０は、着用者が検診衣１を着用した際に、胴体の前面を覆う位置に配置される。図４において、後身頃３０の上端中央部に形成された後衿ぐり部５１と内布の上端中央部に形成された前衿ぐり部５２が接続部６０の端で接続され、衿ぐり部５０が形成されている。
【００３８】
図５Ａ〜５Ｅは本発明による検診衣１の第１の形態の変形過程を示す図である。
検診衣１の内布２０は、着用者の両方の腕が袖部４０に通っている状態において、接続部６０を中心に回動する際に、内布２０の上端中央部に形成された衿ぐり部５０が着用者の頭部を跨ぎ、内布２０の全体が後身頃３０の外側に移動可能である。即ち、マンモグラフィで乳房を撮影する等の検査の際には、衿ぐり部５０により形成される開口部に着用者の頭部をくぐらせた状態から、内布２０が持ち上げられて、接続部６０を軸に回動し、内布２０の上端中央部に形成された衿ぐり部５０が着用者の頭部を跨ぐようにして、内布２０の全体を、後身頃３０の外側に移動させる。マンモグラフィ検査等の乳がん検診を受診する際の第１の形態は、内布２０をそのように移動して検診衣１を変形させた形態である。また、撮影後には、後身頃３０の外側に移動している内布２０が持ち上げられて、接続部６０を軸に回動し、内布２０の上端中央部に形成された衿ぐり部５０が着用者の頭部を跨ぐようにして、再び着用者の頭部を開口部にくぐらせて、内布２０の全体を再び前身頃１０の側に戻すことができる。
【００３９】
図５Ａは、変形前の検診衣１の状態を示す図であり、バリウム検査や胸部レントゲン検査等の一般的な健康診断の検査項目を受診する際には、受診者は図５Ａに示す状態のように検診衣１を着用し検診を受ける。一方、マンモグラフィ検査等の乳がん検診を受診する際の第１の形態においては、図５Ｂ〜５Ｅに示すような変形が行われる。
【００４０】
まず、図５Ｂに示されるように、右前身頃１１と左前身頃１２とを係止していた係止部１３、１４を開放し、前身頃１０が開く。次に、内布２０の下端が上方へ持ち上げられる。図５Ｃに示すように、内布２０は、袖部４０よりも更に上部へと持ち上げられ、接続部６０を中心に回動し、着用者の頭部を跨ぐ。このとき、着用者の頭部が衿ぐり部５０から抜ける。図５Ｄは、後身頃３０の側から見た図であり、図５Ｃで持ち上げられた内布２０が、接続部６０を中心に回動し、着用者の頭部を跨いだ後、後身頃３０の外側に移動し、接続部６０で支持されて吊り下がるように保持された状態を示している。
【００４１】
図５Ｅは、内布２０が接続部６０を中心に回動し、後身頃３０の外側へ移動した状態を前身頃１０の側から見た図である。図５Ｅにおいて、内布２０は後身頃３０の向こう側に隠れているが、依然として接続部６０で接続されているため、図５Ｄに示すように、接続部６０で支持されて吊り下がった状態で後身頃３０の外側で保持されている。このとき、右前身頃１１及び左前身頃１２を軽く閉じ、肌や胸部を隠すことができる。この状態でしばらく待機する場合には、係止部１３、１４を係止してもよい。
【００４２】
図５Ｆは、左側の胸部を検査する際に、左前身頃１２を開いた例を示している。このとき、検査をしていない右側の胸部については、右前身頃１１を用いて隠すことができる。同様に、右側の胸部を検査する際には、右前身頃１１を開き、左側の胸部を左前身頃１２で隠すことができる。また、検査内容によっては、右前身頃１１及び左前身頃１２の両方を開く。
【００４３】
この第１の形態の場合には、着用者の首元に内布２０が全く残らないため、首元のもたつきが生じない。また、検診衣の一部がマンモグラフィの撮像領域に映り込む可能性は少ない。また、着用者の両腕が袖部に通されているため、検診衣１を着用したまま検査を行っているという安心感がより得られる。
【００４４】
図６Ａ〜６Ｅは本発明による検診衣１の第２の形態の変形過程を示す図である。
検診衣１の内布２０は、着用者の両方の腕が袖部４０に通っている状態において、接続部６０を中心に回動する際に、着用者の頭部の横を通って、後身頃３０の外側に移動可能である。マンモグラフィ検査等の乳がん検診を受診する際の第２の形態は、内布２０をそのように移動して検診衣１を変形させた形態である。
【００４５】
図６Ａは、変形前の検診衣１の状態を示す図であり、バリウム検査や胸部レントゲン検査等の一般的な健康診断の検査項目を受診する際には、受診者は図６Ａに示す状態のように検診衣１を着用し検診を受ける。一方、マンモグラフィ検査等の乳がん検診を受診する際の第２の形態においては、図６Ｂ〜６Ｅに示すような変形が行われる。
【００４６】
まず、図６Ｂに示されるように、右前身頃１１と左前身頃１２とを係止していた係止部１３、１４を開放し、右前身頃１１を開く。次に、図６Ｃに示すように、内布２０の下端が右前身頃１１側の斜め上方へ持ち上げられる。内布２０は、袖部４０よりも更に上部へと持ち上げられ、接続部６０を中心に回動し、着用者の頭部の横から右肩を跨ぐ。このとき、着用者の頭部は衿ぐり部５０から突出したままであり、衿ぐり部５０から抜けていない。
【００４７】
図６Ｄは、内布２０が接続部６０を中心に回動し、着用者の右肩を跨ぐようにして、後身頃３０の外側へ移動した状態を前身頃１０の側から見た図である。図６Ｄにおいて、内布２０の下端は後身頃３０の向こう側に隠れているが、接続部６０及び右肩で吊り下がった状態で後身頃３０の外側で保持されている。
【００４８】
図６Ｅは、右側の胸部を検査する際に、右前身頃１１を開いた例を示している。このとき、検査をしていない左側の胸部については、左前身頃１２を用いて隠すことができる。同様に、左側の胸部を検査する際には、左前身頃１２を開き、右側の胸部を右前身頃１１で隠すことができる。また、検査内容によっては、右前身頃１１及び左前身頃１２の両方を開く。
【００４９】
この第２の形態の場合には、第１の形態と異なり、着用者の首元に内布２０の一部が残るが、接続部６０が着用者の肩に相当する部分に位置していることにより、首元のもたつきが最小限に抑えられる。また、検診衣の一部がマンモグラフィの撮像領域に映り込む可能性も従来に比べて少なくなる。また、着用者の両腕が袖部に通されているため、検診衣１を着用したまま検査を行っているという安心感がより得られる。なお、図６Ｂ〜６Ｅにおいては、右前身頃１１の側を開く場合を例示しているが、左前身頃１２の側を開く場合も同様に変形することができる。
【００５０】
図７Ａ〜７Ｅは本発明による検診衣１の第３の形態の変形過程を示す図である。
検診衣１の内布２０は、着用者の一方の腕が袖部４０から抜かれた状態において、接続部６０を中心に回動する際に、着用者の頭部の横を通って、後身頃３０の外側に移動可能である。マンモグラフィ検査等の乳がん検診を受診する際の第３の形態は、内布２０をそのように移動して検診衣１を変形させた形態である。
【００５１】
図７Ａは、図６Ａと同様に、変形前の検診衣１の状態を示す図であり、バリウム検査や胸部レントゲン検査等の一般的な健康診断の検査項目を受診する際には、受診者は図７Ａに示す状態のように検診衣１を着用し検診を受ける。一方、マンモグラフィ検査等の乳がん検診を受診する際の第３の形態においては、図７Ｂ〜７Ｅに示すような変形が行われる。
【００５２】
まず、図７Ｂに示されるように、右前身頃１１と左前身頃１２とを係止していた係止部１３、１４を開放し、右前身頃１１を開く。更に、着用者の右腕を袖部４０から抜く。次に、図７Ｃに示すように、内布２０の下端が右前身頃１１側の斜め上方へ持ち上げられる。内布２０は、袖部４０よりも更に上部へと持ち上げられ、接続部６０を中心に回動し、着用者の頭部の横から右肩を跨ぐ。このとき、図６Ｃの場合と同様に、着用者の頭部は衿ぐり部５０から突出したままであり、衿ぐり部５０から抜けていない。
【００５３】
図７Ｄは、内布２０が接続部６０を中心に回動し、着用者の右肩を跨ぐようにして、後身頃３０の外側へ移動した状態を前身頃１０の側から見た図である。図７Ｄにおいて、内布２０の下端は後身頃３０の向こう側に隠れているが、接続部６０及び右肩で吊り下がった状態で後身頃３０の外側で保持されている。
【００５４】
図７Ｅは、右側の胸部を検査する際に、右前身頃１１を開いた例を示している。このとき、検査をしていない左側の胸部については、左前身頃１２を用いて隠すことができる。同様に、左側の胸部を検査する際には、左前身頃１２を開き、右側の胸部を右前身頃１１で隠すことができる。また、検査内容によっては、右前身頃１１及び左前身頃１２の両方を開く。
【００５５】
この第３の形態の場合には、第１の形態と異なり、着用者の首元に内布２０の一部が残るが、第２の形態と同様に、接続部６０が着用者の肩に相当する部分に位置していることにより、首元のもたつきが最小限に抑えられる。また、検診衣の一部がマンモグラフィの撮像領域に映り込む可能性も従来に比べて少なくなる。第３の形態においては、第１の形態及び第２の形態と異なり、一方の腕が袖部４０から抜かれているため、前身頃１０の側から見た場合に腕部も露出しており、脇や脇腹、腕の付け根や肩に近い部分の検査をする場合に適している。なお、図７Ｂ〜７Ｅにおいては、右前身頃１１の側を開く場合を例示しているが、左前身頃１２の側を開く場合も同様に変形することができる。
【００５６】
マンモグラフィ検査等の乳がん検診を受診する際に、上記第１〜第３の形態のいずれを選択するかは、検診機関の医師や臨床放射線技師が、検診機関のマンモグラフィ装置等の設備や、検査部位や検査内容に応じて、決定することができ、受診者の希望や好みに応じることもできる。本発明は、そのような選択の幅を広げることが可能な検診衣を提供するものである。また、検診前の待合所等での待機時、マンモグラフィ検査の撮像直前の待機時、撮像時、撮像後等、検診のそれぞれの場面に合わせた形態を選択でき、それぞれの場面で素肌の露出を最小限にすることで、受診者に安心感を与えることが可能である。
【００５７】
また、上記においては、第１〜第３の形態をマンモグラフィ検査等の乳がん検診を受診する際の形態として説明したが、第１〜第３の形態をマンモグラフィ検査等の乳がん検診以外の一般的な健康診断の検査項目を受診する際や、胸部や腹部の検診に用いることも可能である。また、検診の際だけでなく、入院患者や通院患者の診察時に用いてもよい。例えば、入院患者や通院患者の診察に用いる場合、診察の対象は、乳がん等の乳房についての疾患に限られず、その他の胸部や腹部の内臓疾患や外傷の診察、聴診等の際に用いることも可能である。
上記記載は実施例についてなされたが、本発明はそれに限らず、本発明の精神と添付の請求の範囲の範囲内で種々の変更および修正をすることができることは当業者に明らかである。
【符号の説明】
【００５８】
１  検診衣
１０  前身頃
１１  右前身頃
１２  左前身頃
１３  係止部
１４  係止部
２０  内布
２１  前当て部
３０  後身頃
４０  袖部
５０  衿ぐり部
５１  後衿ぐり部
５２  前衿ぐり部
６０  接続部
【図１】
2018104827.tif 000003
【図２】
2018104827.tif 000004
【図３】
2018104827.tif 000005
【図４】
2018104827.tif 000006
【図５Ａ】
2018104827.tif 000007
【図５Ｂ】
2018104827.tif 000008
【図５Ｃ】
2018104827.tif 000009
【図５Ｄ】
2018104827.tif 000010
【図５Ｅ】
2018104827.tif 000011
【図５Ｆ】
2018104827.tif 000012
【図６Ａ】
2018104827.tif 000013
【図６Ｂ】
2018104827.tif 000014
【図６Ｃ】
2018104827.tif 000015
【図６Ｄ】
2018104827.tif 000016
【図６Ｅ】
2018104827.tif 000017
【図７Ａ】
2018104827.tif 000018
【図７Ｂ】
2018104827.tif 000019
【図７Ｃ】
2018104827.tif 000020
【図７Ｄ】
2018104827.tif 000021
【図７Ｅ】
2018104827.tif 000022
【図８】
2018104827.tif 000023